(57)【特許請求の範囲】
【請求項１】
自動車の車体パネルの貫通穴に挿通するワイヤハーネスに取り付けるグロメットであって、
電線挿通用の小径筒部（１２）の先端に大径筒部（１３）を備えた弾性体からなるグロメット本体（１１）と、該グロメット本体（１１）内に収容する樹脂製のインナースリーブ（２０）とからなり、該インナースリーブ（２０）の内部に上記ワイヤハーネスの端末に接続されたコネクタ（３０）が収容されるものであり、
上記グロメット本体（１１）の大径筒部（１３）には、先端開口（１３ａ）の周縁部に環状溝（１３ｆ）を設けたインナースリーブ係止部（１３ｅ）を設け、上記インナースリーブ（２０）の外周面に突設した係止鍔部（２０ａ）を上記環状溝（１３ｆ）に挿入係止させて固定し、上記大径筒部（１３）の上記先端開口（１３ａ）より突出する上記インナースリーブ（２０）の周壁外面に車体係止用のロック爪（２０ｅ、２０ｆ）を突設し、
上記インナースリーブ（２０）の周壁内面にロック枠（２０ｃ）を突設し、該インナースリーブ（２０）に挿入されるコネクタ（３０）の外面に設けたロック爪（３０ａ）を上記ロック枠（２０ｃ）と嵌合して収容固定していると共に、
上記インナースリーブ（２０）の周壁（２０ｂ）と大径筒部（１３）の周壁（１３ｂ）はコネクタ（３０）の端子挿入面（３０ｂ）より小径筒部（１２）側に突出し、
上記突出したインナースリーブ（２０）の周壁底面（２０ｄ）を上記グロメット本体（１１）の大径筒部の底面（１３ｃ）に当接させて、上記コネクタの端子挿入面（３０ｂ）と大径筒部の底面（１３ｃ）との間に空間（１５）を設け、上記大径筒部（１３）の底面（１３ｃ）を押圧したときに上記コネクタ（３０）に接続されて上記小径筒部（１２）に挿通される電線（ｗ）に負荷が加わらない構成としているコネクタ固定用樹脂インナースリーブ付きグロメット。
【発明の詳細な説明】
【０００１】
【発明の属する技術分野】
本発明は、コネクタ固定用樹脂インナースリーブ付きグロメットに関し、詳しくは、自動車に配索するワイヤハーネスに組み付けると共に、先端内部に収容した樹脂インナースリーブにコネクタを固定して車体パネルの貫通穴に装着するグロメットに関するものである。
【０００２】
【従来の技術】
従来より、例えば、ドア側に配索したドアハーネスをドアパネルの貫通穴を通して車体パネルの貫通穴へと架け渡すような場合、ドアパネルと車体パネルの間のワイヤハーネスＷ／Ｈに図５（Ａ）に示すグロメット１が取り付けられている。該グロメット１にはゴムまたはエラストマーからなるグロメット本体２の先端に設けた大径筒部２ａの内部に樹脂製のインナースリーブ３を組み付け、該インナースリーブ３の周壁の外面に設けたロック爪３ａを車体パネルＡの貫通穴Ｈ１に差し込むだけでワンタッチ係止できるものとされている。
【０００３】
詳しくは、車体パネルＡとドアパネルＢに設けた貫通穴Ｈ１、Ｈ２に係止する上記グロメット１は、グロメット本体２の蛇腹状の小径筒部２ｂの一端にドアパネルの貫通穴Ｈ２に装着して係止する大径筒部２ｃを設けると共に他端に車体パネルの貫通穴Ｈ１に装着する上記大径筒部２ａを連続して設けている。一方のドアパネルＢ側の大径筒部２ｃには外周面に係止溝２ｄを設け、該係止溝２ｄを貫通穴Ｈ２の周縁に嵌合してシール状態で装着している。
【０００４】
他方の車体パネルＡ側の大径筒部２ａには樹脂製のインナースリーブ３を内嵌係止すると共に、該インナースリーブ３の周壁端面３ｃを大径筒部２ａの底面２ｅに当接させている。また、大径筒部２ａの先端開口から僅かに突出させたインナースリーブ３の周壁には、外面先端より車体係止用のロック爪３ａを設けている。
【０００５】
さらに、インナースリーブ３の周壁にはロック枠３ｂを設け、小径筒部２ｂ内に挿通する電線端末に接続されているコネクタ４のロック爪４ｂをロック枠３ｂに挿入形成してインナースリーブ３内にコネクタ４をロック固定している。このとき、固定されたコネクタ４の底面に当たる端子挿入面４ａはインナースリーブ３の周壁端面３ｃとほぼ同一面上にあるため、端子挿入面４ａは大径筒部２ａの底面２ｅに僅少な隙間Ｓをあけて近接している。従って、小径筒部２ｂ内を通ってコネクタ４のキャビティに挿入係止される電線ｗは、コネクタ４の首下位置ですぐに大径筒部２ａの底面２ｅにぶつかるため、コネクタ４と小径筒部２ｂとの間で屈曲して配線される。
【０００６】
【発明が解決しようとする課題】
グロメット１の貫通穴Ｈ１への取り付け時には、大径筒部２ａの底面２ｅを外側から挿入方向へ強く押すことにより、内部のインナースリーブ３の周壁端面３ｃをも押して、該インナースリーブ３の先端のロック爪３ａを貫通穴Ｈ１内に挿入し、貫通穴Ｈ１の内面側の周縁に該ロック爪３ａを係止して固定している。このとき、コネクタ４に挿入係止された電線ｗも、大径筒部２ａの底面２ｅにぶつかった屈曲部Ｃを外側から強く押圧されることになるため、電線ｗに大きな負荷がかかり、断線等を招来しやすいという問題がある。
【０００７】
また、コネクタ４の首下位置では、屈曲させて僅かな隙間Ｓに電線ｗを配線しているため、該電線ｗの張力により、図５（Ｂ）に示すように、大径筒部２ａの底面２ｅが内側から押されて変形し、膨らみ、外観が悪くなるという問題もある。
【０００８】
本発明は上記問題に鑑みてなされたもので、グロメットの取り付け作業時に電線へかかる負荷を低減すると共に、取り付け後の外観も良好なコネクタ固定用樹脂インナースリーブ付きグロメットの提供を課題としている。
【０００９】
【課題を解決するための手段】
上記課題を解決するために、自動車の車体パネルの貫通穴に挿通するワイヤハーネスに取り付けるグロメットであって、
電線挿通用の小径筒部の先端に大径筒部を備えた弾性体からなるグロメット本体と、該グロメット本体内に収容する樹脂製のインナースリーブとからなり、該インナースリーブの内部に上記ワイヤハーネスの端末に接続されたコネクタが収容されるものであり、
上記グロメット本体の大径筒部には、先端開口の周縁部に環状溝を設けたインナースリーブ係止部を設け、上記インナースリーブの外周面に突設した係止鍔部を上記環状溝に挿入係止させて固定し、上記大径筒部の上記先端開口より突出する上記インナースリーブの周壁外面に車体係止用のロック爪を突設し、
上記インナースリーブの周壁内面にロック枠を突設し、該インナースリーブに挿入されるコネクタの外面に設けたロック爪を上記ロック枠と嵌合して収容固定していると共に、
上記インナースリーブの周壁と大径筒部の周壁はコネクタの端子挿入面より小径筒部側に突出し、
上記突出したインナースリーブの周壁底面を上記グロメット本体の大径筒部の底面に当接させて、上記コネクタの端子挿入面と大径筒部の底面との間に空間を設け、上記大径筒部の底面を押圧したときに上記コネクタに接続されて上記小径筒部に挿通される電線に負荷が加わらない構成としているコネクタ固定用樹脂インナースリーブ付きグロメットを提供している。
【００１０】
上記のように、コネクタの端子挿入面からインナースリーブの周壁底面、さらには大径筒部の底面までに大きな空間を設けることにより、コネクタの首下位置の電線が角度をつけて屈曲することもなく、また、グロメットの貫通穴への取り付け作業時に大径筒部の底面を押圧しても、コネクタの首下位置の電線は、端子挿入面より大きく突出した樹脂インナースリーブによって保護されるため、押圧力が加わらず、コネクタの端子挿入面に押し付けられずに済む。従って、電線に負荷がかからないため、断線等の発生を防止することができる。
【００１１】
また、インナースリーブの周壁底面をコネクタの端子挿入面より大きく突出させ、大径筒部の底面まで延在して当接させていることにより、貫通穴への取り付け時には、大径筒部の底面を押すことによりインナースリーブの先端を効果的に貫通穴内に押し込むすことができるうえ、作業者が強く押圧する大径筒部全体がインナースリーブで内側から補強されて硬くなるため、押圧力を加えやすく、挿入作業の作業性を向上できる。
【００１２】
さらに、コネクタの端子挿入面と大径筒部の底面との間に大きな空間が設けられているため、大径筒部内の電線は、該大径筒部の底面に圧接したり小径筒部にかけて急角度で屈曲することなく、緩やかにカーブする程度にとどまる。従って、大径筒部の周壁や底面が電線の張力を受けて変形することを防止して、取り付け後のグロメットの外観を良くすることができる。
【００１３】
【発明の実施の形態】
以下、本発明の実施形態を図面を参照して説明する。
なお、以下に説明する実施形態のグロメットは、上記従来例と同様に、ドアパネルＢの貫通穴Ｈ２に通した後に車体パネルＡの貫通穴Ｈ１に通すワイヤハーネスＷ／Ｈに取り付けると共に、該ワイヤハーネスＷ／Ｈに接続するコネクタをグロメットに固定するものである。
【００１４】
図１（Ａ）（Ｂ）に示すように、グロメット１０は、ゴムあるいはエストラマーからなるグロメット本体１１と、樹脂製のインナースリーブ２０とからなる。グロメット本体１１は電線挿通用の蛇腹状の小径筒部１２の両端に大径筒部１３、１４を連続して一体成形し、一方の大径筒部１３の内部に樹脂製のインナースリーブ２０を収容している。他方の大径筒部１４の外周にはドアパネルＢの貫通穴Ｈ２に装着する係止溝１４ａを凹設している。
【００１５】
インナースリーブ２０を収容する大径筒部１３は、その先端開口１３ａの周縁にシールリップ１３ｄを外開き状に突出させ、該シールリップ１３ｄに連続する開口周縁部には断面コの字形状としたインナースリーブ係止部１３ｅを設けている。このインナースリーブ係止部１３ｅの内周面に開口する環状溝１３ｆにインナースリーブ２０の外周面より突設した係止鍔部２０ａを挿入係止させて、該インナースリーブ２０を大径筒部１３内に収容固定している。
【００１６】
上記インナースリーブ２０は、上記大径筒部１３の先端開口１３ａより突出する周壁２０ｂの対向する両側位置に、外側先端より一対の車体係止用のロック爪２０ｅ、２０ｆを突設すると共に、該周壁２０ｂのロック枠２０ｃを設している。
一方、コネクタ３０のキャビティ（図示せず）の端子挿入面３０ｂ側の位置には上記ロック枠２０ｃに対応するロック爪３０ａを設けている。小径筒部１２内に挿通した電線ｗの端末に接続したこのコネクタ３０のロック爪３０ａがロック枠２０ｃを嵌合することにより、コネクタ３０をインナースリーブ２０にロック固定している。
【００１７】
また、インナースリーブ２０の周壁２０ｂと大径筒部１３の周壁１３ｂは、ともに、内部に収容固定したコネクタ３０の端子挿入面３０ｂよりも小径筒部１２側に大きく突出し、端子挿入面３０ｂと大径筒部１３の底面１３ｃとの間に大きな空間１５を形成している。さらに、インナースリーブ２０の周壁底面２０ｄは、大径筒部１３の底面に当接させている。
【００１８】
上記グロメット１０を貫通穴Ｈ１、Ｈ２に取り付けるとき、図２に示すように、一方の大径筒部１４の係止溝１４ａをドアパネルＢの貫通穴Ｈ２の周縁に係止させ、シール状態で装着する。また、他方の大径筒部１３は、その底面１３ｃを指で保持し、貫通穴Ｈ１へ向かって強く押圧することによって、内部のインナースリーブ２０の先端のロック爪２０ｅ、２０ｆを貫通穴Ｈ１内に押し込み、該貫通穴Ｈ１の内側周縁にロック爪２０ｅ、２０ｆを係止し、外側周縁にはシールリップ１３ｄを当接させて、図３に示すようにシール状態で装着する。
【００１９】
図２に示すように、大径筒部の底面１３ｃとコネクタ３０の端子挿入面３０ｂとの間には大きな空間１５が介在するため、上記グロメット取り付け時において大径筒部１３の底面１３ｃを挿通方向へ強く押圧しても、内部のインナースリーブ２０の周壁底面２０ｄを押圧するだけであり、コネクタ３０の首下位置の電線ｗを端子挿入面３０ｂに強く押し付けたり屈曲することなく、むしろ該電線ｗは、突出したインナースリーブ２０の周壁２０ｂで保護されて、負荷が加わらない構成となる。また、大径筒部１３の周壁１３ｂがインナースリーブ２０によって補強され硬くなるため、作業者が大径筒部１３の底面１３ｃを押圧した際に力が伝わりやすく、グロメットの挿入作業が容易となる。
さらに、グロメット１０の取り付け後においても、上記空間１５は維持されるため、コネクタ３０の首下位置の電線ｗは大径筒部１３の底面１３ｃにぶつかったり急角度で屈曲することなく、電線ｗにかかる負荷を大幅に軽減した状態を維持することができる。さらにまた、上記空間１５により、電線ｗの張力が大径筒部１３の底面１３ｃに影響しないため、大径筒部１３の変形を防止してグロメット１０の見栄えを良くすることができる。
【００２０】
図４は、上記実施形態の変形例を示し、インナースリーブ２０の周壁２０ｂを、大径筒部１３の底面１３ｃに沿って少し内側へ屈曲させて、円環形状の底面２０ｇを形成した形状としている。これにより、作業者が指を当てて押圧する大径筒部１３の底面１３ｃの内側までインナースリーブ２０が延在して、該部分が補強され、硬くなるため、グロメット取り付け時の大径筒部１３の潰れを抑制して挿入・取付けの作業性を一層上げることができる。
【００２１】
【発明の効果】
以上の説明より明らかなように、本発明によれば、コネクタの端子挿入面とインナースリーブの周壁と大径筒部の周壁をコネクタの端子挿入面より大きく突出させて、コネクタの端子挿入面と大径筒部の底面との間に大きな空間を設けるている。従って、コネクタの首下位置の電線がすぐに大径筒部の底面にぶつかって急角度で屈曲することを防止できる。また、グロメット取り付け作業時において、大径筒部の底面を把持して挿入方向に強く押圧した際にも、内部の電線にまで押圧力が及ばず、電線にかかる負荷を大幅に軽減して断線等の発生を防止することができる。
さらに、上記空間によって、電線の張力がインナースリーブや大径筒部に影響せず、大径筒部が押し広げられたり変形するなどを防止して、グロメットの外観をよくすることができる。
【００２２】
かつ、インナースリーブの周壁底面を大径筒部の底面に当接させているため、押圧する大径筒部の周壁全体が補強されて硬くなり、グロメットの挿入作業が容易とすることができる。
【図面の簡単な説明】
【図１】  ワイヤハーネスに取り付けた状態の本発明の実施形態に係るグロメットを示し、（Ａ）は正面図であり、（Ｂ）は断面図である。
【図２】  図１に示すグロメットの貫通穴への取り付け作業を示す断面図である。
【図３】  図１に示すグロメットを貫通穴へ取り付けた状態を示す要部断面図である。
【図４】  本発明の実施形態の変形例を示す要部断面図である。
【図５】  （Ａ）（Ｂ）は従来例を示す断面図である。
【符号の説明】
１０  グロメット
１３、１４  大径筒部
１３ｃ  底面
１５  空間
２０  インナースリーブ
２０ｂ  周壁
２０ｄ  周壁底面
２０ｅ、２０ｆ  ロック爪
２０ｇ  底面
３０  コネクタ
３０ｂ  端子挿入面
【図１】
0003709812.tif 000002
【図２】
0003709812.tif 000003
【図３】
0003709812.tif 000004
【図４】
0003709812.tif 000005
【図５】
0003709812.tif 000006